【手続補正書】
【提出日】平成18年2月16日(2006.2.16)
【手続補正１】
【補正対象書類名】明細書
【補正対象項目名】０００５
【補正方法】変更
【補正の内容】
【０００５】
図１Ａと１ＢのＦＧＳ  ＨＳ構成では、フレームメモリブロックに記憶される低品質ベースレイヤ基準フレームから、ＦＧＳＴフレームは予測される。このため、結果として得られる動き補償残差エラーは高くなり、これらのフレームの圧縮に多くのビットが必要となる。従って、より高いフレームレートへの移行が、低ビットレートまたは非常に高いビットレートで実行される。
【手続補正２】
【補正対象書類名】明細書
【補正対象項目名】０００７
【補正方法】変更
【補正の内容】
【０００７】
本発明の第１の特徴は、映像符号化に関する。本発明は、映像または映像信号をベースレイヤフレームのデータストリームに符号化する処理に関する。前記ベースレイヤフレームから、変換領域において残差画像フレームが計算される。前記ベースレイヤフレームと前記残差画像フレームの少なくとも一部から、拡張ベースレイヤ基準フレームが構成され、動き補償拡張ベースレイヤ基準フレームを生成するため動き補償される。前記動き補償拡張ベースレイヤ基準フレームと前記映像から、動き補償残差画像フレームが予測される。前記動き補償残差画像フレームは、時間フレームのデータストリームにＦＧＳ（Ｆｉｎｅ  Ｇｒａｎｕｌａｒ  Ｓｃａｌａｂｌｅ）変換される。
【手続補正３】
【補正対象書類名】明細書
【補正対象項目名】０００９
【補正方法】変更
【補正の内容】
【０００９】
本発明の効果、性質及び様々な付加的特徴は、添付された図面と共に詳細に説明される例示的な実施例を考慮することにより、より十分に明らかとなるであろう。これら図面では、同様の参照番号は同様の要素を特定する。
【手続補正４】
【補正対象書類名】明細書
【補正対象項目名】００１０
【補正方法】変更
【補正の内容】
【００１０】
図３Ａは、本発明の第１実施例によるＦＧＳベースハイブリッド時間ＳＮＲスケーラビリティ構成（ＦＧＳ  ＨＳ構成２０Ａ）を示す。ＦＧＳ  ＨＳ構成２０Ａは、ＩとＰフレームにより符号化されたＢＬ２１Ａと、残差ＳＮＲ  ＩとＰフレーム及び動き補償残差または時間（ＦＧＳＴ）双方向予測（Ｂ）フレームとによりＦＧＳ符号化された単一のＥＬ２２Ａとを有する。本発明の他の実施例では、ＦＧＳＴフレームはそれ自身「時間」レイヤにあるとしてもよいということは理解されるであろう。
【手続補正５】
【補正対象書類名】明細書
【補正対象項目名】００１１
【補正方法】変更
【補正の内容】
【００１１】
図３Ｂは、本発明の第２実施例によるＦＧＳハイブリッド時間ＳＮＲスケーラビリティ構成（ＦＧＳ  ＨＳ構成２０Ｂ）を示す。ＦＧＳ  ＨＳ構成２０Ｂは、ＩとＰフレームにより符号化されるＢＬ２１Ｂと、残差ＳＮＲ  ＩとＰフレーム及び動き補償または時間順方向予測（Ｐ）フレームによりＦＧＳ符号化される単一のＥＬ２２Ｂとを有する。上述のように、本発明の他の実施例では、ＦＧＳＴフレームはそれ自身「時間」レイヤにあるとしてもよい。
【手続補正６】
【補正対象書類名】明細書
【補正対象項目名】００１７
【補正方法】変更
【補正の内容】
【００１７】
動き補償残差ＢＬ  Ｐフレーム信号が、第１減算装置２２０においてオリジナルの映像信号から標準動き補償ＢＬ基準フレーム信号を差し引くことにより生成される。同様に、動き補償残差ＦＧＳＴフレーム信号が、第１減算装置２２０においてオリジナルの映像信号から動き補償拡張ＢＬ基準フレーム信号を差し引くことにより生成される。
【手続補正７】
【補正対象書類名】明細書
【補正対象項目名】００１８
【補正方法】変更
【補正の内容】
【００１８】
ＤＣＴ２１３は、動き補償残差ＦＧＳＴ及びＢＬ  Ｐフレーム信号の空間情報を周波数領域に従来は変換することにより圧縮を行ってきた。オリジナルの映像信号のＢＬ  ＩフレームもまたこのようにしてＤＣＴ２１３により圧縮される。適当な時点で、第２データフローコントローラ２２１は、さらなる圧縮のため、ＤＣＴ２１３の出力で生成されるＢＬ  Ｉ及びＰフレームＤＣＴビットプレーン信号を量子化装置２１４に向ける。
【手続補正８】
【補正対象書類名】明細書
【補正対象項目名】００２５
【補正方法】変更
【補正の内容】
【００２５】
ビットプレーンセレクタまたはマスキング装置２３６は、ＳＮＲ残差画像信号のビットプレーンの少なくとも一部、すなわち、部分的なビットプレーン、１以上の完全なビットプレーン、完全及び部分ビットプレーンの任意の組み合わせを選択する。このデータ信号は、第２加算装置２４２においてＢＬエンコーダ２１０のＩＤＣＴ２１６の出力でのそれの対応するＢＬフレーム信号と合成され、拡張ＢＬ基準フレームが構成される。第２ＩＤＣＴ２３７は、拡張ＢＬ基準フレームのＤＣＴ係数を復号する。第３加算装置２２４は、第２ＩＤＣＴ２３７の出力における拡張ＢＬフレーム信号と、動き補償装置２１２の出力における適当な基準フレーム信号とを合成する。第３加算装置２２４において構成された拡張ＢＬフレームは、フレームメモリ２１８に格納され、ＦＧＳＴフレームの予測のため拡張ＢＬ基準フレームとして利用される。
【手続補正９】
【補正対象書類名】明細書
【補正対象項目名】００３０
【補正方法】変更
【補正の内容】
【００３０】
動き補償装置３１５は、第１データフローコントローラ３１７により制御されるように、適当な時点において、ＢＬ動き情報信号を受信する。その後、動き補償装置３１５は、ＢＬフレームメモリ３１４に格納されているＢＬ基準フレームとＢＬ動き情報とを利用して、ＢＬ  Ｐフレームの予測に利用される動き補償ＢＬ基準フレームを再構成する。
【手続補正１０】
【補正対象書類名】明細書
【補正対象項目名】００３３
【補正方法】変更
【補正の内容】
【００３３】
ビットプレーンセレクタ３３２は、ＦＧＳビットプレーンデコーダの出力における部分的に復号されたＳＮＲ残差画像フレーム信号の以前に選ばれた数のビットプレーン、部分ビットプレーンなどを選択する。第２ＩＤＣＴ３３３は、拡張ＢＬ基準フレームのＳＮＲ部分のＳＮＲ残差画像またはフレーム部分（あるいは場合によってはフレーム全体）を復号するため、当該選択されたＳＮＲ残差ビットプレーン信号に逆コサイン変換を行う。第３加算装置３４２は、第２ＩＤＣＴ３３３の出力におけるＳＮＲフレーム部分と、ＢＬフレームメモリに格納されているそれの対応するＢＬフレームとを合成し、ＥＬフレームメモリ３３４に格納されている拡張ＢＬ基準フレームを再構成する。
【手続補正１１】
【補正対象書類名】明細書
【補正対象項目名】００３５
【補正方法】変更
【補正の内容】
【００３５】
図６は、本発明の原理を実現するため利用されるシステム４００の一実施例を示す。システム４００は、テレビ、セットトップボックス、デスクトップ、ラップトップまたはパームトップ（ｐａｌｍｔｏｐ）コンピュータ、ＰＤＡ（Ｐｅｒｓｏｎａｌ  Ｄｉｇｉｔａｌ  Ａｓｓｉｓｔａｎｔ）、ビデオカセットレコーダ（ＶＣＲ）、デジタルビデオレコーダ（ＤＶＲ）、ＴｉＶＯデバイスなどのビデオ/画像記憶装置、及び上記及び他の装置の一部またはそれらを組み合わせたものを表すかもしれない。システム４００は、１以上のビデオ/画像ソース４０１、１以上の入出力装置４０２、プロセッサ４０３及びメモリ４０４を有する。ビデオ/画像ソース４０１は、例えば、テレビ受信機、ＶＣＲまたは他のビデオ/画像記憶装置を表すかもしれない。あるいは、ソース４０１は、１以上のサーバからインターネット、ワイドエリアネットワーク、メトロポリタンエリアネットワーク、ローカルエリアネットワーク、地上波放送システム、ケーブルネットワーク、衛星ネットワーク、無線ネットワーク、電話ネットワーク、あるいは上記及び他のタイプのネットワークの一部またはそれらを組み合わせたものなどのグローバルコンピュータ通信ネットワークを介して、映像を受信する１以上のネットワーク接続を表すものであってもよい。